(57)【要約】【課題】点灯状況に左右されず安定した目立ち指数ＦＣＩの照明光を得ることができる照明器具を提供することを目的とする【解決手段】赤色発光素子１２ｃの光のピーク波長が第１の値となる第１の点灯状況で前記赤色発光素子１２ｃが点灯している場合は、第１の発光素子１２ａを点灯させると共に第２の発光素子１２ｂを点灯させない或いは微点灯させ、前記赤色発光素子１２ｃの光のピーク波長が前記第１の値よりも大きい第２の値となる第２の点灯状況で前記赤色発光素子１２ｃが点灯している場合は、前記第２の発光素子１２ｂを点灯させると共に前記第１の発光素子１２ａを点灯させない或いは微点灯させる制御を行う点灯回路４と、を備える照明器具１とする。【選択図】図９
2014081999.tif 000002
【特許請求の範囲】
【請求項１】
第１の発光素子と、当該第１の発光素子の光の一部を波長変換する第１の波長変換部材とを有し、未変換の光と変換後の光との混色により得られる第１の白色光を発する第１の白色光源と、
第２の発光素子と、当該第２の発光素子の光の一部を、前記第１の波長変換部材による変換後の光とはピーク波長および半値幅のうち少なくともいずれかが異なるスペクトルを有する光に波長変換する第２の波長変換部材とを有し、未変換の光と変換後の光との混色により得られる第２の白色光を発する第２の白色光源と、
赤色発光素子を有し赤色光を発する赤色光源と、
前記赤色発光素子の光のピーク波長が第１の値となる第１の点灯状況で前記赤色発光素子が点灯している場合は、前記第１の発光素子を点灯させると共に前記第２の発光素子を点灯させない或いは微点灯させ、前記赤色発光素子の光のピーク波長が前記第１の値よりも大きい第２の値となる第２の点灯状況で前記赤色発光素子が点灯している場合は、前記第２の発光素子を点灯させると共に前記第１の発光素子を点灯させない或いは微点灯させる制御を行う点灯回路と、
を備えることを特徴とする照明器具。
【請求項２】
前記第１の波長変換部材は、前記第１の発光素子の光を、ピーク波長が５３５ｎｍ以上５５５ｎｍ以下且つ半値幅が５０ｎｍ以上７０ｎｍ以下の光に変換し、
前記第２の波長変換部材は、前記第２の発光素子の光を、ピーク波長が５４０ｎｍ以上５８０ｎｍ以下且つ半値幅が１００ｎｍ以上１３０ｎｍ以下の光に変換する
ことを特徴とする請求項１記載の照明器具。
【請求項３】
前記第１の発光素子および前記第２の発光素子の光は、それぞれピーク波長が４５０以上４７０ｎｍ以下であることを特徴とする請求項１または２に記載の照明器具。
【請求項４】
前記赤色発光素子は、前記第１の点灯状況におけるピーク波長が６２０ｎｍ以上６２６ｎｍ以下であることを特徴とする請求項１から３のいずれかに記載の照明器具。
【請求項５】
前記赤色発光素子は、前記第２の点灯状況におけるピーク波長が６２３ｎｍ以上６３０ｎｍ以下であることを特徴とする請求項１から４のいずれかに記載の照明器具。
【請求項６】
前記第１の点灯状況とは、前記赤色発光素子が第１の温度且つ第１の電流量で点灯している状況であり、前記第２の点灯状況とは、前記赤色発光素子が前記第１の温度よりも高い第２の温度で点灯している、および／または、前記第１の電流量よりも大きい第２の電流量で点灯している状況であることを特徴とする請求項１から５のいずれかに記載の照明器具。
【請求項７】
前記第１の点灯状況とは、前記赤色発光素子が第１の温度で点灯している状況であり、前記第２の点灯状況とは、前記赤色発光素子が前記第１の温度よりも高い第２の温度で点灯している状況であることを特徴とする請求項１から５のいずれかに記載の照明器具。
【請求項８】
前記第１の点灯状況とは、前記赤色発光素子が第１の電流量で点灯している状況であり、前記第２の点灯状況とは、前記赤色発光素子が前記第１の電流量よりも大きい第２の電流量で点灯している状況であることを特徴とする請求項１から５のいずれかに記載の照明器具。
【請求項９】
第１の発光素子と、当該第１の発光素子の光の一部を波長変換する第１の波長変換部材とを有し、未変換の光と変換後の光との混色により得られる第１の白色光を発する第１の白色光源と、
第２の発光素子と、当該第２の発光素子の光の一部を、前記第１の波長変換部材による変換後の光とはピーク波長および半値幅のうち少なくともいずれかが異なるスペクトルを有する光に波長変換する第２の波長変換部材とを有し、未変換の光と変換後の光との混色により得られる第２の白色光を発する第２の白色光源と、
赤色発光素子を有し赤色光を発する赤色光源と、
前記赤色発光素子の光のピーク波長が第１の値となる第１の点灯状況で前記赤色発光素子が点灯している場合は、前記第１の発光素子を点灯させると共に前記第２の発光素子を点灯させない或いは微点灯させ、前記赤色発光素子の光のピーク波長が前記第１の値よりも大きい第２の値となる第２の点灯状況で前記赤色発光素子が点灯している場合は、前記第２の発光素子を点灯させると共に前記第１の発光素子を点灯させない或いは微点灯させる制御を行う点灯回路と、
を備えることを特徴とする照明装置。
【請求項１０】
第１の発光素子と、当該第１の発光素子の光の一部を波長変換する第１の波長変換部材とを有し、未変換の光と変換後の光との混色により得られる第１の白色光を発する第１の白色光源と、
第２の発光素子と、当該第２の発光素子の光の一部を、前記第１の波長変換部材による変換後の光とはピーク波長および半値幅のうち少なくともいずれかが異なるスペクトルを有する光に波長変換する第２の波長変換部材とを有し、未変換の光と変換後の光との混色により得られる第２の白色光を発する第２の白色光源と、
赤色発光素子を有し赤色光を発する赤色光源と、
前記赤色発光素子の光のピーク波長が第１の値となる第１の点灯状況で前記赤色発光素子が点灯している場合は、前記第１の発光素子を点灯させると共に前記第２の発光素子を点灯させない或いは微点灯させ、前記赤色発光素子の光のピーク波長が前記第１の値よりも大きい第２の値となる第２の点灯状況で前記赤色発光素子が点灯している場合は、前記第２の発光素子を点灯させると共に前記第１の発光素子を点灯させない或いは微点灯させる制御を行う点灯回路と、
を備えることを特徴とする発光モジュール。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を利用した照明器具、照明装置および発光モジュールに関し、特に、そのような照明器具において照明光の光特性を改善する技術に関する。
【背景技術】
【０００２】
従来から、青色ＬＥＤが発光する青色光の一部を、波長変換部材により黄色光に変換して、青色光と黄色光との混色により白色光を得るタイプの白色光源が実用化されており、そのような白色光源を用いた種々の照明器具が製品化されている。
しかしながら、上記白色光源を用いた照明器具の照明光はモノの見え方が良好でない傾向にある。これは白色光源の照明光に赤色成分が不足しているからであり、赤色成分の不足によりモノの見え方が良好でなくなるのである。
【０００３】
そこで、白色光源と赤色光源とを組み合わせることで、白色光源の白色光に赤色光源の赤色光を加え、これによって赤色成分を補って、照明光によるモノの見え方を向上させることが提案されている（特許文献１）。
【先行技術文献】
【特許文献】
【０００４】
【特許文献１】特開２０１２−６４８８８号公報
【非特許文献】
【０００５】
【非特許文献１】新編色彩科学ハンドブック［第３版］日本色彩学会編
【発明の概要】
【発明が解決しようとする課題】
【０００６】
しかしながら、実際に白色光源と赤色光源とを組み合わせた照明器具を製造し点灯させてみたところ、赤色光源に赤色ＬＥＤが用いられている場合は、点灯状況に応じて照明光によるモノの見え方が変化する現象が確認された。すなわち、白色光源と赤色光源とを単に組み合わせただけでは、様々な点灯状況においてモノの見え方を良好に維持することは困難であることがわかった。
【０００７】
本発明は、上記した課題に鑑み、点灯状況に左右されず照明光によるモノの見え方を良好に維持することができる照明器具を提供することを目的とする。
【課題を解決するための手段】
【０００８】
上記目的を達成するために、本発明の一態様に係る照明器具は、第１の発光素子と、当該第１の発光素子の光の一部を波長変換する第１の波長変換部材とを有し、未変換の光と変換後の光との混色により得られる第１の白色光を発する第１の白色光源と、第２の発光素子と、当該第２の発光素子の光の一部を、前記第１の波長変換部材による変換後の光とはピーク波長および半値幅のうち少なくともいずれかが異なるスペクトルを有する光に波長変換する第２の波長変換部材とを有し、未変換の光と変換後の光との混色により得られる第２の白色光を発する第２の白色光源と、赤色発光素子を有し赤色光を発する赤色光源と、前記赤色発光素子の光のピーク波長が第１の値となる第１の点灯状況で前記赤色発光素子が点灯している場合は、前記第１の発光素子を点灯させると共に前記第２の発光素子を点灯させない或いは微点灯させ、前記赤色発光素子の光のピーク波長が前記第１の値よりも大きい第２の値となる第２の点灯状況で前記赤色発光素子が点灯している場合は、前記第２の発光素子を点灯させると共に前記第１の発光素子を点灯させない或いは微点灯させる制御を行う点灯回路と、を備えることを特徴とする。
【０００９】
なお、本願において、白色、赤色、青色、黄色など光の色を特定する表現は、国際照明委員会（ＣＩＥ）で規定されているような厳密なものではなく（例えば、国際照明委員会は、赤色の波長を７００ｎｍ、青色の波長を４３５．８ｎｍ、黄色の波長を５４６．１ｎｍと規定している。）、光の波長領域をおおよその範囲で特定するものに過ぎない。したがって、光の波長領域を厳密に特定する必要がある場合は、数値範囲を用いて波長領域を特定している。
【発明の効果】
【００１０】
本発明の一態様に係る照明器具は、赤色発光素子の光のピーク波長が第１の値となる第１の点灯状況で前記赤色発光素子が点灯している場合は、第１の発光素子を点灯させ第２の発光素子を点灯させない或いは微点灯させる制御を行う。一方、赤色発光素子の光のピーク波長が第１の値よりも大きい第２の値となる第２の点灯状況で前記赤色発光素子が点灯している場合は、第２の発光素子を点灯させ第１の発光素子を点灯させない或いは微点灯させる制御を行う。したがって、第１の点灯状況および第２の点灯状況のいずれにおいても照明光によるモノの見方が良好に維持されるように、第１の白色光源と赤色光源との組み合わせ、および、第２の白色光源と赤色光源との組み合わせを最適化しておけば、点灯状況に左右されず照明光によるモノの見え方を良好に維持することができる。
【図面の簡単な説明】
【００１１】
【図１】温度が上昇すると赤色光のピーク波長が長波長側にシフトすることを説明するための図
【図２】電流量が増加すると赤色光のピーク波長が長波長側にシフトすることを説明するための図
【図３】赤色光のピーク波長と目立ち指数ＦＣＩとの関係を説明するための図
【図４】点灯状況に左右されず安定した目立ち指数ＦＣＩが得られたことを説明するための図
【図５】本発明の一態様に係る照明器具を示す断面図
【図６】本発明の一態様に係る照明装置を示す斜視図
【図７】本発明の一態様に係る照明装置を示す分解斜視図
【図８】本発明の一態様に係る発光モジュールを示す図
【図９】本発明の一態様に係る発光モジュールと回路ユニットとの接続状態を説明するための配線図
【図１０】本発明の一態様に係る白色光源切替制御の動作を説明したフローチャート
【図１１】変形例１に係る発光モジュールを示す図
【図１２】変形例２に係る発光モジュールを示す図
【図１３】変形例３に係る発光モジュールを示す図
【図１４】変形例４に係る照明装置を示す図
【図１５】変形例５に係る照明装置を示す図
【図１６】変形例６に係る照明装置を示す断面図
【発明を実施するための形態】
【００１２】
＜本発明に至った経緯＞
照明器具の照明光によるモノの見え方を評価する指標の一つとして、目立ち指数ＦＣＩというものがある（非特許文献１）。この目立ち指数ＦＣＩが高ければ、照明対象を色鮮やかに演色し空間を明るく感じさせる照明光であるとの評価を受ける。
しかしながら、目立ち指数ＦＣＩの高い照明光を得ることは容易ではなく、特に、青色光と黄色光との混色により白色光を得るタイプの白色光源を用いた照明器具の照明光は目立ち指数ＦＣＩが低くなる傾向にある。これは白色光源の照明光に赤色成分が不足しているからであり、赤色成分の不足により目立ち指数ＦＣＩが低くなるのである。
【００１３】
発明者は、実際に白色光源と赤色光源とを組み合わせた照明器具を製造し点灯させてみて、点灯状況に応じて照明光の目立ち指数ＦＣＩが変化することに気が付いた。例えば、点灯開始時のように発光素子の温度が低い場合と、しばらく点灯させた後の発光素子の温度が高い場合とでは、目立ち指数ＦＣＩが大きく異なっていた。また、調光（輝度の変更）のために発光素子に流す電流量を変更した場合も、目立ち指数ＦＣＩに変化が見られた。このような事実を鑑みれば、ある点灯状況において所望の目立ち指数ＦＣＩが得られるように白色光源と赤色光源との組み合わせが最適化されていたとしても、点灯状況が変われば目立ち指数ＦＣＩが低下するおそれがある。そこで、発明者は、点灯状況に左右されず安定した目立ち指数ＦＣＩの照明光を得ることができる照明器具の開発に着手することとした。
【００１４】
そして、発明者は、以下に説明するような種々の実験結果に基づき、目立ち指数ＦＣＩが変化する原因が赤色光のピーク波長のシフトに寄るものであることを解明した。さらに、赤色光のピーク波長のシフトは、赤色発光素子の温度の変化や、赤色発光素子に流す電流量の変化により生じることを突き止めた。
第１の実験では、赤色発光素子に流す電流量を２０ｍＡに保ちながら、赤色発光素子の温度が２５℃のときと７０℃のときの赤色光の発光スペクトルを測定した。図１は、温度が上昇すると赤色光のピーク波長が長波長側にシフトすることを説明するための図である。その結果、図１に示すように、温度が２５℃のときのピーク波長は６５６ｎｍであり、温度が７０℃のときのピーク波長は６６２ｎｍであった。すなわち、温度が４５℃上昇したことによりピーク波長が長波長側に６ｎｍシフトした。この結果から、赤色発光素子の温度が上昇すると赤色光の発光ピークが長波長側にシフトすることがわかった。
【００１５】
第２の実験では、赤色発光素子の温度を７０℃に保ちながら、赤色発光素子に２０ｍＡ、４０ｍＡ、６０ｍＡの電流を流し、それぞれの電流量における赤色光の発光スペクトルを測定した。図２は、電流量が増加すると赤色光のピーク波長が長波長側にシフトすることを説明するための図である。その結果、図２に示すように、電流量が２０ｍＡのときのピーク波長は６６３ｎｍであり、電流量が４０ｍＡのときのピーク波長は６６４ｎｍであり、電流量が６０ｍＡのときのピーク波長は６６６ｎｍであった。すなわち、電流量が４０ｍＡ増加したことによりピーク波長が長波長側に３ｎｍシフトした。この結果から、赤色発光素子へ流す電流量が増加しても赤色光の発光ピークが長波長側にシフトすることがわかった。
【００１６】
第３実験では、白色光源と赤色光源とを組み合わせた従来の照明器具を製造し、その照明器具を第１の点灯状況と、第１の点灯状況よりも赤色光のピーク波長が長波長側にシフトする第２の点灯状況とで点灯させて、それぞれの照明光の発光スペクトルを測定した。なお、第１の点灯状況に対し、第２の点灯状況は、赤色発光素子の温度が４５℃高く、赤色発光素子に流す電流量を６０ｍＡ増やした状況である。図３は、赤色光のピーク波長と目立ち指数ＦＣＩとの関係を説明するための図である。その結果、図３に示すように、第１の点灯状況から第２の点灯状況にすることで、赤色光のピーク波長が長波長側に１０ｎｍシフトし、目立ち指数ＦＣＩが「１２３」から「１３４」に変化した。この結果より、点灯状況の変化により赤色光のピーク波長がシフトすると、目立ち指数ＦＣＩが変化することがわかった。
【００１７】
なお、この実験では、点灯状況を変更するに当たって、赤色発光素子の温度を上昇させると共に赤色発光素子に流す電流量を増加させたが、例えば、赤色発光素子へ流す電流量は一定のままで赤色発光素子の温度を上昇させた場合も、目立ち指数ＦＣＩが変化するであろうことが第１実験の結果から推測される。また、赤色発光素子の温度は一定のままで赤色発光素子に流す電流量を増加させた場合も、目立ち指数ＦＣＩが変化するであろうことが第２実験の結果から推測される。
【００１８】
以上の実験結果をまとめると、目立ち指数ＦＣＩが変化するのは、赤色光のピーク波長が長波長側にシフトするからであり、ピーク波長のシフトは、赤色発光素子の温度の上昇や、赤色発光素子に流す電流量の増加により起こることがわかった。そして、従来の照明器具では、ピーク波長が長波長側にシフトしていない点灯状況を想定して白色光源と赤色光源との組み合わせが最適化されていたために、ピーク波長が長波長側にシフトしたときには組み合わせにミスマッチが生じて、目立ち指数ＦＣＩが低下することがわかった。
【００１９】
以上のような経緯により、発明者は、ピーク波長がシフトした後も所望の目立ち指数ＦＣＩが得られるように、シフトする前の赤色光との混色に好適な第１の白色光を発する第１の白色光源と、シフトした後の赤色光との混色に好適な第２の白色光を発する第２の白色光源とを併用するとの着想に至った。さらに、目立ち指数ＦＣＩを安定に維持するためには、シフトする前の赤色光には緑色成分の多い白色光を混色させ、シフトした後の赤色光には黄色成分の多い白色光を混色させることが好適であることの知見も得た。そして、２種類の白色光源を、赤色光のピーク波長のシフト状況に応じて切り替えて利用することによって、シフトする前とシフトした後のいずれにおいても、所望の目立ち指数ＦＣＩの照明光が得られる照明器具の実現に成功した。
【００２０】
第４実験では、赤色光源、第１の白色光源および第２の白色光源を備える本発明に係る照明器具を製造し、赤色光がシフトしない第１の点灯状況における照明光、および、赤色光がシフトする第２の点灯状況における照明光の発光スペクトルを測定した。図４は、点灯状況に左右されず安定した目立ち指数ＦＣＩが得られたことを説明するための図であって、（ａ）は第１の点灯状況における照明光の発光スペクトルおよび目立ち指数ＦＣＩを示し、（ｂ）は第２の点灯状況における照明光の発光スペクトルおよび目立ち指数ＦＣＩを示す。
【００２１】
図４（ａ）に示す発光スペクトルと、図４（ｂ）に示す発光スペクトルとを比較すると、第２の点灯状況のときは、第１の点灯状況のときよりも赤色光のピーク波長が長波長側にシフトしている。しかしながら、白色光源を切り替えることによって、第２の点灯状況のときは、第１の点灯状況のときよりも白色光の黄色成分が増加しているため、第１の点灯状況のときと第２の点灯状況のときとの目立ち指数ＦＣＩの差は小さい。このようにして、本発明に係る照明器具の照明光の目立ち指数ＦＣＩが点灯状況に左右されず安定していることを確認した。
【００２２】
＜照明器具＞
以下、本発明の一態様に係る照明器具、照明装置および発光モジュールについて、図面を参照しながら説明する。なお、各図面における部材の縮尺は実際のものとは異なる。
図５は、本発明の一態様に係る照明器具を示す断面図である。図５に示すように、本発明の一態様に係る照明器具１は、例えば、天井２に埋め込むようにして取り付けられるダウンライトであって、器具３、回路ユニット４、調光ユニット５、および、照明装置６を備える。
【００２３】
器具３は、例えば、金属製であって、ランプ収容部３ａ、回路収容部３ｂおよび外鍔部３ｃを有する。ランプ収容部３ａは、例えば有底円筒状であって、内部に照明装置６が着脱自在に取り付けられる。回路収容部３ｂは、例えばランプ収容部３ａの底側に延設されており、内部に回路ユニット４が収容されている。外鍔部３ｃは、例えば円環状であって、ランプ収容部３ａの開口部から外方へ向けて延設されている。器具３は、ランプ収容部３ａおよび回路収容部３ｂが天井２に貫設された埋込穴２ａに埋め込まれ、外鍔部３ｃが天井２の下面２ｂにおける埋込穴２ａの周部に当接された状態で、例えば取付ねじ（不図示）によって天井２に取り付けられる。
【００２４】
回路ユニット４は、照明装置６を点灯させるためのものであって、照明装置６と電気的に接続される電源線４ａを有し、当該電源線４ａの先端には照明装置６のリード線７１のコネクタ７２と着脱自在に接続されるコネクタ４ｂが取り付けられている。
調光ユニット５は、ユーザーが照明装置６の照明光の輝度を調整するためのものであって、回路ユニット４と電気的に接続されており、ユーザーの操作を受けて調光信号を回路ユニット４に出力する。
【００２５】
＜照明装置＞
図６は、本発明の一態様に係る照明装置を示す斜視図である。図７は、本発明の一態様に係る照明装置を示す分解斜視図である。図６および図７に示すように、照明装置６は、例えば、発光モジュール１０、ベース２０、ホルダ３０、化粧カバー４０、カバー５０、カバー押え部材６０、および、配線部材７０等を備えるランプユニットである。
【００２６】
（発光モジュール）
図８は、本発明の一態様に係る発光モジュールを示す図であって、（ａ）は平面図、（ｂ）は右側面図、（ｃ）は正面図である。図９は、本発明の一態様に係る発光モジュールと回路ユニットとの接続状態を説明するための配線図である。なお、各光源Ｗ１，Ｗ２，Ｒの配置を理解し易いように、図８の各光源Ｗ１，Ｗ２，Ｒには、同色のものには同じ模様を付し、異なるものには異なる模様を付している。
【００２７】
図８および図９に示すように、発光モジュール１０は、基板１１、発光素子１２ａ〜１２ｃ、封止部材１３ａ〜１３ｃ、温度検出部１４、端子部１５ａ〜１５ｆ、および、配線１６ａ〜１６ｆを備える。
基板１１は、例えば、方形板状であって、セラミック基板や熱伝導樹脂等からなる絶縁層とアルミ板等からなる金属層との２層構造を有する。基板１１の上面１１ａには発光素子１２ａ〜１２ｃが実装されている。
【００２８】
発光素子１２ａ〜１２ｃは、例えば、１８個の発光素子１２ａ〜１２ｃで構成される直線状の素子列が、６条平行に並ぶように配置されている。各発光素子１２ａ〜１２ｃは、例えば、ＬＥＤであって、基板１１の上面１１ａにＣＯＢ（Ｃｈｉｐ  ｏｎ  Ｂｏａｒｄ）技術を用いてフェイスアップ実装されている。なお、本発明に係る発光素子は、例えば、ＬＤ（レーザダイオード）や、ＥＬ素子（エレクトリックルミネッセンス素子）であっても良い。
【００２９】
封止部材１３ａ〜１３ｃは、発光素子１２ａ〜１２ｃを素子列ごと別々に封止している。封止部材１３ａ〜１３ｃは、例えば、長尺状の部材であって、長手方向と直交する仮想面で切断した断面の形状は略半楕円形である（図８（ｂ）参照）。また、封止部材１３ａ〜１３ｃの長手方向両端部はＲ形状（具体的には略四半球形）になっており、平面視における長手方向両端部の形状は図８（ａ）に示すように略半円形である。なお、封止部材１３ａ〜１３ｃの形状はこのようなものに限定されず任意であって、例えば直方体形状であっても良い。また、封止部材１３ａ〜１３ｃは、透光性材料からなる連結部により連結されていても良い。
【００３０】
封止部材１３ａ〜１３ｃは、例えば、透光性材料で形成されている。透光性材料としては、例えばシリコーン樹脂、エポキシ樹脂、フッソ樹脂、シリコーン・エポキシのハイブリッド樹脂、ユリア樹脂等を用いることができる。第１の封止部材１３ａおよび第２の封止部材１３ｂは、透光性材料に波長変換材料が混入されているため、波長変換部材として機能する。波長変換材料としては、例えば蛍光体粒子を利用することができる。以下では、第１の封止部材１３ａを第１の波長変換部材１３ａと称し、第２の封止部材１３ｂを第２の波長変換部材１３ｂと称する。一方、第３の封止部材１３ｃは、透光性材料に波長変換材料が混入されていないため波長変換部材として機能しない。なお、第３の封止部材１３ｃの透光性材料には、拡散材が混入されていても良い。
【００３１】
各光源Ｗ１，Ｗ２，Ｒは、１条の素子列を構成する１８個の発光素子１２ａ〜１２ｃと、それら発光素子１２ａ〜１２ｃを封止する１つの封止部材１３ａ〜１３ｃとによって構成されている。各光源Ｗ１，Ｗ２，Ｒの形状は、封止部材１３ａ〜１３ｃの形状に依存した長尺状であり、両端が揃うようにして６つが等間隔を空けて平行に配置されている。なお、各封止部材１３ａ〜１３ｃに封止する発光素子１２ａ〜１２ｃの数は任意である。また、各封止部材１３ａ〜１３ｃおよび各光源Ｗ１，Ｗ２，Ｒの形状は、長尺状に限定されず任意であって、例えば変形例１のようなブロック状、例えば変形例２のような環状、例えば変形例３のようなドット状などであっても良い。
【００３２】
光源Ｗ１，Ｗ２，Ｒは、各色２つずつ存在しており、発光モジュール１０の色むらを防止するために、同じ色の光源Ｗ１，Ｗ２，Ｒが隣り合わないよう、且つ、第１の白色光源Ｗ１と第２の白色光源Ｗ２との間に赤色光源Ｒが位置するよう配置されている。具体的には、第１の白色光源Ｗ１、赤色光源Ｒ、第２の白色光源Ｗ２、第１の白色光源Ｗ１、赤色光源Ｒ、第２の白色光源Ｗ２の順で配置されている。
【００３３】
第１の白色光源Ｗ１は、第１の発光素子１２ａと、当該第１の発光素子１２ａの光の一部を波長変換する第１の波長変換部材１３ａとを有し、未変換の光と変換後の光との混色により得られる第１の白色光を発する。第１の発光素子１２ａは、例えば、ピーク波長が４５０ｎｍ以上４７０ｎｍ以下の青色光を出射するＬＥＤである。第１の波長変換部材１３ａは、例えば、第１の発光素子１２ａの青色光を、ピーク波長が５３５ｎｍ以上５５５ｎｍ以下且つ半値幅が５０ｎｍ以上７０ｎｍ以下の光に波長変換する。
【００３４】
なお、本発明に係る第１の発光素子は、ピーク波長が４５０ｎｍ以上４７０ｎｍ以下の青色光を出射する青色発光素子に限定されず、それ以外の波長の青色光を出射する青色発光素子であっても良いし、紫外光を出射する発光素子であっても良い。また、本発明に係る第１の波長変換部材は、ピーク波長が５３５ｎｍ以上５５５ｎｍ以下且つ半値幅が５０ｎｍ以上７０ｎｍ以下の光に波長変換する波長変換部材としては、サイアロン構造を有する酸窒化物蛍光体、酸窒化物蛍光体、硫化物蛍光体、シリケート系蛍光体、および、それら蛍光体のうちの２種類以上を混合した混合物などが挙げられる。
【００３５】
第２の白色光源Ｗ２は、第１の発光素子１２ｂと、当該第２の発光素子１２ｂの光の一部を波長変換する第２の波長変換部材１３ｂとを有し、未変換の光と変換後の光との混色により得られる第２の白色光を発する。第２の発光素子１２ｂは、例えば、第１の発光素子１２ａと同じく、ピーク波長が４５０ｎｍ以上４７０ｎｍ以下の青色光を出射する青色発光素子である。第２の波長変換部材１３ｂは、第２の発光素子１２ｂの光の一部を、第１の波長変換部材１３ａによる変換後の光とはピーク波長および半値幅のうち少なくともいずれかが異なるスペクトルを有する光に波長変換する。具体的には、例えば、ピーク波長が５４０ｎｍ以上５８０ｎｍ以下且つ半値幅が１００ｎｍ以上１３０ｎｍ以下の光に波長変換する。これにより、目立ち指数ＦＣＩの変化をより効果的に抑制することができる。
【００３６】
なお、本発明に係る第２の発光素子は、ピーク波長が４５０ｎｍ以上４７０ｎｍ以下の青色光を出射する青色発光素子限定されず、それ以外の波長の青色光を出射する青色発光素子であっても良いし、紫外光を出射する青色発光素子であっても良い。
また、本発明に係る第２の波長変換部材は、ピーク波長が５４０ｎｍ以上５８０ｎｍ以下且つ半値幅が１００ｎｍ以上１３０ｎｍ以下の光に波長変換する波長変換部材としては、ガーネット構造を有するアルミネート系蛍光体、シリケート系蛍光体、サイアロン構造を有する酸窒化物蛍光体、硫化物蛍光体、および、それら蛍光体のうちの２種類以上を混合した混合物などが挙げられる。
【００３７】
なお、本発明に係る第２の発光素子は、ピーク波長が４５０ｎｍ以上４７０ｎｍ以下の青色光を出射する青色発光素子限定されず、それ以外の波長の青色光を出射する青色発光素子であっても良いし、紫外光を出射する青色発光素子であっても良い。
また、本発明に係る第２の波長変換部材は、ピーク波長が５４０ｎｍ以上５８０ｎｍ以下且つ半値幅が１００ｎｍ以上１３０ｎｍ以下の光に波長変換するものに限定されないが、第１の波長変換部材による変換後の光よりも長波長側にシフトしたスペクトルを有する光に変換するものが好ましい。なお、ピーク波長が５４０ｎｍ以上５８０ｎｍ以下且つ半値幅が１００ｎｍ以上１３０ｎｍ以下の光に波長変換する波長変換部材としては、ガーネット構造を有するアルミネート系蛍光体、シリケート系蛍光体、サイアロン構造を有する酸窒化物蛍光体、硫化物蛍光体、および、それら蛍光体のうちの２種類以上を混合した混合物などが挙げられる。
【００３８】
また、第２の波長変換部材１３ｂには、第１の波長変換部材１３ａとは異なる種類の波長変換材料が用いられていても良いし、同じ種類の波長変換材料が混合量を異ならしめ用いられていても良い。また、第１の波長変換部材１３ａおよび第２の波長変換部材１３ｂに使用される波長変換材料は、単一の化合物で構成されていても良いし、複数の化合物を混合したものであっても良い。
【００３９】
赤色光源Ｒは、第３の発光素子１２ｃおよび第３の封止部材１３ｃを有し、赤色光を発する。第３の発光素子１２ｃは、例えば、ピーク波長が６１５ｎｍ以上６４０ｎｍ以下の赤色光を出射する赤色発光素子である。以下では、第３の発光素子１２ｃを赤色発光素子１２ｃと称する。第３の封止部材１３ｃは、透光性材料に波長変換材料が混入されておらず透明である。なお、上述したように、第３の封止部材１３ｃの透光性材料には、拡散材が混入されていても良い。
【００４０】
赤色発光素子１２ｃは、第１の点灯状況におけるピーク波長が６２０ｎｍ以上６２６ｎｍ以下であることが好ましく、第２の点灯状況におけるピーク波長が６２３ｎｍ以上６３０ｎｍ以下であることが好ましい。そして、後述するように、第１の白色光源Ｗ１および第２の白色光源Ｗ２の両方を積極的に同時点灯させる場合、赤色発光素子１２ｃは、第１の点灯状況から第２の点灯状況に移行する期間におけるピーク波長が６２３ｎｍ以上６２６ｎｍ以下であることがより好ましい。
【００４１】
温度検出部１４は、例えば、基板１１の上面１１ａに設けられた温度センサＩＣであって、赤色発光素子１２ｃの温度を検出する。そして、その検出結果は温度情報として回路ユニット４の制御回路部４ｆに出力される。赤色発光素子１２ｃの温度の具体的な検出方法としては、赤色発光素子１２ｃの温度を直接的に検出しても良いし、基板１１の温度や、赤色発光素子１２ｃの周囲に配置された部材の温度や、発光素子１２ａ〜１２ｃの周囲の雰囲気温度などに基づいて、間接的に検出しても良い。なお、本発明に係る温度検出部は、温度センサＩＣに限定されず、第３の発光素子の温度を直接的或いは間接的に検出できるものであれば良い。例えば、後述するように発光モジュールの基板に点灯回路が作り込まれる場合は、点灯回路にサーミスタを挿入し、このサーミスタを温度検出部として利用しても良い。
【００４２】
端子部１５ａ〜１５ｆは、基板１１に形成された導体パターンにより構成されている。端子部１５ａおよび端子部１５ｄが第１の発光素子１２ａへの給電用として機能し、端子部１５ｂおよび端子部１５ｄが第２の発光素子１２ｂへの給電用として機能し、端子部１５ｃおよび端子部１５ｄが赤色発光素子１２ｃへの給電用として機能する。端子部１５ｅおよび端子部１５ｆは温度検出部１４と回路ユニット４とを電気的に接続するための端子として機能する。各端子部１５ａ〜１５ｆは、図５に示すように、基板１１の上面１１ａにおける周縁部に形成されている。
【００４３】
配線１６ａ〜１６ｆも、基板１１に形成された導体パターンにより構成されている。配線１６ａは第１の発光素子１２ａと端子部１５ａとを電気的に接続し、配線１６ｂは第２の発光素子１２ｂと端子部１５ｂとを電気的に接続し、配線１６ｃは赤色発光素子１２ｃと端子部１５ｃとを電気的に接続している。また、配線１６ｄは、各発光素子１２ａ〜１２ｃと端子部１５ｄとをそれぞれ電気的に接続している。配線１６ｅ，１６ｆは、温度検出部１４を端子部１５ｅ，１５ｆとそれぞれ電気的に接続している。
【００４４】
発光素子１２ａ〜１２ｃは、属する光源Ｗ１，Ｗ２，Ｒの色ごとに、１８直２並で所謂直並列接続されている。具体的には、同じ素子列を構成する１８個の発光素子１２ａ〜１２ｃがそれぞれ直列接続され、同色の光源Ｗ１，Ｗ２，Ｒの素子列同士が並列接続されている。そして、光源Ｗ１，Ｗ２，Ｒは、色ごと別々に点灯制御される。
以上のような発光モジュールは、点灯回路によって後述する白色光源切替制御を行うことで、点灯状況に左右されず安定した目立ち指数ＦＣＩの照明光を発することができる。
【００４５】
（ベース）
図７に戻って、ベース２０は、例えば、アルミダイキャスト製の円板状であって、上面側の中央に搭載部２１を有し、当該搭載部２１に発光モジュール１０が搭載されている。また、ベース２０の上面側には、搭載部２１を挟んだ両側に、ホルダ３０固定用の組立ねじ３５を螺合するためのねじ孔２２が設けられている。ベース２０の周部には、挿通孔２３、ボス孔２４および切欠部２５が設けられている。それら挿通孔２３、ボス孔２４および切欠部２５の役割については後述する。
【００４６】
（ホルダ）
ホルダ３０は、例えば、有底円筒状であって、円板状の押え板部３１と、当該押え板部３１の周縁からベース２０側に延設された円筒状の周壁部３２とを有する。押え板部３１で発光モジュール１０を搭載部２１に押えつけることによって、発光モジュール１０はベース２０に固定されている。
【００４７】
押え板部３１の中央には、発光モジュール１０の各光源Ｗ１，Ｗ２，Ｒを露出させるための窓孔３３が形成されている。また、押え板部３１の周部には、発光モジュール１０に接続されたリード線７１がホルダ３０に干渉するのを防止するための開口部３４が、窓孔３３と連通した状態で形成されている。さらに、ホルダ３０の押え板部３１の周部には、ベース２０のねじ孔２２に対応する位置に、組立ねじ３５を挿通するための挿通孔３６が貫設されている。
【００４８】
ホルダ３０をベース２０に取り付ける際には、まず、各光源Ｗ１，Ｗ２，Ｒがホルダ３０の窓孔３３から露出する状態で、ベース２０とホルダ３０とで発光モジュール１０の基板１１を挟持する。次に、組立ねじ３５を、ホルダ３０の押え板部３１の上方からねじ挿通孔３６に挿通し、ベース２０のねじ孔２２に螺合させることによって、ホルダ３０をベース２０に取り付ける。
【００４９】
（化粧カバー）
化粧カバー４０は、例えば、白色不透明の樹脂等の非透光性材料からなる円環状であって、ホルダ３０とカバー５０との間に配置されており、開口部３４から露出したリード線７１や組立ねじ３５等を覆い隠している。化粧カバー４０の中央には、各光源Ｗ１，Ｗ２，Ｒを露出させるための窓孔４１が形成されている。
【００５０】
（カバー）
カバー５０は、例えば、シリコーン樹脂、アクリル樹脂、ガラス等の透光性材料により形成されており、各光源Ｗ１，Ｗ２，Ｒから出射された光はカバー５０を透過して照明装置６の外部へ取り出される。当該カバー５０は、各光源Ｗ１，Ｗ２，Ｒを覆うドーム状であってレンズ機能を有する本体部５１と、当該本体部５１の周縁部から外方へ延設された外鍔部５２とを有し、当該外鍔部５２がベース２０に固定されている。
【００５１】
（カバー押え部材）
カバー押え部材６０は、例えば、アルミニウム等の金属や白色不透明の樹脂のような非透光性材料からなり、カバー５０の本体部５１から出射される光を妨げないように円環板状になっている。カバー５０の外鍔部５２は、カバー押え部材６０とベース２０とで挟持され固定されている。
【００５２】
カバー押え部材６０の下面側には、ベース２０側へ突出する円柱状のボス部６１が設けられている。また、カバー５０の外鍔部５２には、ボス部６１に対応する位置にボス部６１を避けるための半円状の切欠部５３が形成されている。さらに、ベース２０の周縁部には、ボス部６１に対応する位置にボス部６１を挿通するためのボス孔２４が形成されている。カバー押え部材６０をベース２０に固定する際は、カバー押え部材６０のボス部６１をベース２０のボス孔２４に挿通させ、ベース２０の下側からボス部６１の先端部にレーザ光を照射して、先端部をボス孔２４から抜けない形状に塑性変形させる。これにより、カバー押え部材６０がベース２０に固定される。
【００５３】
カバー５０の外鍔部５２、および、カバー押え部材６０の周縁部には、ベース２０の挿通孔２３に対応する位置にそれぞれ半円状の切欠部５４，６２が形成されており、挿通孔２３に挿通させる取付ねじ（不図示）がカバー押え部材６０やカバー５０に当たらないようになっている。
（配線部材）
配線部材７０は、発光モジュール１０と電気的に接続された一組のリード線７１を有し、それらリード線７１の発光モジュール１０に接続された側とは反対側の端部にはコネクタ７２が取り付けられている。発光モジュール１０に接続された配線部材７０のリード線７１は、ベース２０の切欠部２５を介して照明装置６の外部へ導出される。
【００５４】
＜点灯制御＞
（回路構成）
図９に示すように、回路ユニット４は、点灯回路部４ｃ、調光比検出回路部４ｄ、電流量検出部４ｅ、および制御回路部４ｆを含む点灯回路をユニット化したものである。外部の商用交流電源（不図示）と電気的に接続されており、商用交流電源から入力される電流を発光モジュール１０に供給する。そして、光源Ｗ１，Ｗ２，Ｒを色ごとに、すなわち第１の白色光源Ｗ１と第２の白色光源Ｗ２と赤色光源Ｒとを別々に点灯制御する。
【００５５】
点灯回路部４ｃは、ＡＣ／ＤＣコンバータ（図示せず）を備える回路で構成され、第１の発光素子１２ａ、第２の発光素子１２ｂ、赤色発光素子１２ｃにそれぞれ別々に電力を供給する。具体的には、商用交流電源からの交流電圧を、第１の発光素子１２ａに適した直流電圧と、第２の発光素子１２ｂに適した直流電圧と、赤色発光素子１２ｃに適した直流電圧とに、ＡＣ／ＤＣコンバータを用いてそれぞれ変換する。そして、制御回路部４ｆからの指示に基づいて、各発光素子１２ａ〜１２ｃに適した直流電圧を順電圧として各発光素子１２ａ〜１２ｃに印加する。なお、ＡＣ／ＤＣコンバータとしては、例えばダイオードブリッジ等が用いられる。
【００５６】
調光比検出回路部４ｄは、調光ユニット５から調光信号を取得する。調光ユニット５は、ユーザーの操作等を受けて調光信号を調光比検出回路部４ｄに出力する。調光信号には、調光比の情報が含まれている。調光比とは、第１の発光素子１２ａ、第２の発光素子１２ｂおよび赤色発光素子１２ｃの全点灯時（１００％点灯時）の光束に対する比である。調光比の情報は、調光比検出回路部４ｄから制御回路部４ｆに出力される。
【００５７】
電流量検出部４ｅは、例えば、点灯回路部４ｃにおける赤色発光素子１２ｃへの電流経路上に直列に挿入された電流検出抵抗であって、赤色発光素子１２ｃに流れる電流量を検出する。そして、検出結果は電流量情報として制御回路部４ｆに出力される。なお、電流量検出部４ｅにより赤色発光素子１２ｃに流れる電流量を検出する方法は上記に限定されない。
【００５８】
制御回路部４ｆは、マイクロプロセッサとメモリとを備えている。制御回路部４ｆは、マイクロプロセッサを用いて、調光比検出回路部４ｄから入力された調光比に従って第１の発光素子１２ａ、第２の発光素子１２ｂおよび赤色発光素子１２ｃを調光制御し、それらの輝度を調整する。具体的には、制御回路部４ｆは、調光比に基づいて第１の発光素子１２ａ、第２の発光素子１２ｂおよび赤色発光素子１２ｃの各デューティ比を設定することによって、第１の発光素子１２ａ、第２の発光素子１２ｂおよび赤色発光素子１２ｃをＰＷＭ制御する。加えて、温度検出部１４から取得した温度情報と、電流量検出部４ｅから取得した電流量情報とに基づいて、以下に説明するような白色光源切替制御を行う。
【００５９】
（白色光源切替制御）
図１０は、白色光源切替制御の動作を説明したフローチャートである。図１０に示すように、本実施の形態に係る白色光源切替制御では、照明器具１を点灯・消灯用のスイッチがＯＮされると、点灯回路部４ｃが第１の発光素子１２ａへの電力の供給を開始して、第１の白色光源Ｗ１を点灯させると共に（ステップＳ１）、赤色発光素子１２ｃへの電力の供給を開始して、赤色光源Ｒを点灯させる（ステップＳ２）。なお、第１の白色光源Ｗ１および赤色光源Ｒに電力の供給を開始するタイミングは、同時であることが最も好ましく、次に第１の白色光源Ｗ１が先であることが好ましいが、第２の白色光源Ｗ２が先であっても良い。
【００６０】
第１の白色光源Ｗ１および赤色光源Ｒが点灯後は、スイッチがＯＦＦになるまで（ステップＳ３で「ＹＥＳ」）、赤色発光素子１２ｃの温度が閾値以上であるか（ステップＳ４）、および、赤色発光素子１２ｃに流れる電流量が閾値以上であるか（ステップＳ５）を、制御回路部４ｆがモニタリングする。
温度または電流量のいずれかが閾値以上となった場合は（ステップＳ４で「ＹＥＳ」またはステップＳ５で「ＹＥＳ」）、点灯回路部４ｃは、第２の発光素子１２ｂへの電力の供給を開始することによって第２の白色光源Ｗ２を点灯させると共に（ステップＳ６）、第１の発光素子１２ａへの電力の供給を停止することによって第１の白色光源Ｗ１を消灯させる（ステップＳ７）。すなわち、白色光源を第１の白色光源Ｗ１から第２の白色光源Ｗ２に切り替える。なお、第２の発光素子１２ｂへの電力の供給の開始と、第１の発光素子１２ａへの電力の供給の停止とは同時であることが好ましいが、先に第２の発光素子１２ｂへの電力の供給を開始し、その後に第１の発光素子１２ａへの電力の供給を停止しても良い。
【００６１】
白色光源を切り替えた後は、スイッチがＯＦＦになるまで（ステップＳ８で「ＹＥＳ」）、赤色発光素子１２ｃの温度が閾値以上であるか（ステップＳ９）、および、赤色発光素子１２ｃに流れる電流量が閾値以上であるか（ステップＳ１０）を、制御回路部４ｆがモニタリングする。
温度或いは電流量のいずれもが閾値以上でなくなった場合は（ステップＳ９で「ＮＯ」、且つ、ステップＳ１０で「ＮＯ」）、点灯回路部４ｃは、第１の発光素子１２ａへの電力の供給を開始することによって第１の白色光源Ｗ１を点灯させると共に（ステップＳ１１）、第２の発光素子１２ｂへの電力の供給を停止することによって第２の白色光源Ｗ２を消灯させる（ステップＳ１２）。すなわち、白色光源を第２の白色光源Ｗ２から第１の白色光源Ｗ１に切り替える。なお、第１の発光素子１２ａへの電力の供給の開始と、第２の発光素子１２ｂへの電力の供給の停止とは同時であることが好ましいが、先に第１の発光素子１２ａへの電力の供給を開始し、その後に第２の発光素子１２ｂへの電力の供給を停止しても良い。
【００６２】
白色光源を切り替えた後は、ステップＳ３に戻って、再び、スイッチがＯＦＦになるまで（ステップＳ３で「ＹＥＳ」）、赤色発光素子１２ｃの温度が閾値以上であるか（ステップＳ４）、および、赤色発光素子１２ｃに流れる電流量が閾値以上であるか（ステップＳ５）を、制御回路部４ｆがモニタリングする。
ステップＳ３において、スイッチがＯＦＦになった場合は（ステップＳ３で「ＹＥＳ」）、赤色発光素子１２ｃへの電力の供給を停止して赤色光源Ｒを消灯させると共に（ステップＳ１３）、第１の発光素子１２ａへの電力の供給も停止して第１の白色光源Ｗ１も消灯させることで（ステップＳ１４）、照明器具１全体を消灯させる。
【００６３】
また、ステップＳ８において、スイッチがＯＦＦになった場合も（ステップＳ８で「ＹＥＳ」）、赤色発光素子１２ｃへの電力の供給を停止して赤色光源Ｒを消灯させると共に（ステップＳ１５）、第２の発光素子１２ｂへの電力の供給も停止して第２の白色光源Ｗ２も消灯させることで（ステップＳ１６）、照明器具１全体を消灯させる。
このように、照明器具１には、少なくとも２つの点灯状態がある。１つ目は、第１の白色光源Ｗ１が点灯しており第２の白色光源Ｗ２が点灯していない状態であり、第１の点灯状況のときにこの状態となる制御を行う。２つ目は、第２の白色光源Ｗ２が点灯しており第１の白色光源Ｗ１が点灯していない状態であり、第２の点灯状況のときにこの状態となる制御を行う。
【００６４】
第１の点灯状況とは、赤色発光素子１２ｃのピーク波長が第１の値になる状況、言い換えると赤色発光素子１２ｃのピーク波長が長波長側にシフトしていない状況である。本実施の形態では、赤色発光素子１２ｃが第１の温度且つ第１の電流量で点灯している状況である。
第２の点灯状況とは、赤色発光素子１２ｃのピーク波長が第１の値よりも大きい第２の値になる状況、言い換えると赤色発光素子１２ｃのピーク波長が長波長側にシフトした状況である。本実施の形態では、赤色発光素子１２ｃが第１の温度よりも高い第２の温度で点灯している状況、または、第１の電流量よりも大きい第２の電流量で点灯している状況、または、その両方の条件を満たす状況である。
【００６５】
温度の閾値は、第１の温度を超え第２の温度以下となる範囲で設定されている。例えば、第１の温度が２５℃、第２の温度が７０℃とした場合に、例えば７０℃に設定される。電流量の閾値は、第１の電流量を超え第２の電流量以下となる範囲で設定されている。例えば、第１の電流量が２５ｍＡ、第２の電流量が６０ｍＡとした場合に、例えば６０ｍＡに設定される。
【００６６】
温度が閾値未満、且つ、電流量が閾値未満である状況、すなわち第１の点灯状況では、第１の白色光源Ｗ１を点灯させるが、第２の白色光源は点灯させない。その状態から、温度または電流量の少なくとも一方が閾値以上である状況、すなわち第２の点灯状況になると、第１の白色光源Ｗ１に替えて第２の白色光源を点灯させる。すなわち、第１の発光素子１２ａが点灯しており第２の発光素子１２ｂが点灯していない状態から、第２の発光素子１２ｂが点灯しており第１の発光素子１２ａが点灯していない状態に切り替える。
【００６７】
第１の点灯状況では、赤色発光素子１２ｃの光のピーク波長が長波長側にシフトしていない。その場合に点灯させる白色光源は第１の白色光源Ｗ１が好適であり、第２の白色光源Ｗ２は好適でない。第１の白色光源Ｗ１は、ピーク波長が長波長側にシフトしていない状態の赤色発光素子１２ｃと組み合わせにおいて所望の目立ち指数ＦＣＩが得られるよう最適化されているため、第１の点灯状況において所望の目立ち指数ＦＣＩが得られる。  
【００６８】
一方、第２の点灯状況では、赤色発光素子１２ｃの光のピーク波長が長波長側にシフトしている。第１の点灯状況から第２の点灯状態に移行し、赤色発光素子１２ｃの光のピーク波長が長波長側にシフトすれば、点灯させる白色光源を、第１の白色光源Ｗ１から第２の白色光源Ｗ２に切り替える。第２の白色光源Ｗ２は、ピーク波長が長波長側にシフトした状態の赤色発光素子１２ｃと組み合わせると所望の目立ち指数ＦＣＩが得られるよう最適化されているため、第２の点灯状況になっても所望の目立ち指数ＦＣＩに維持することができる。
【００６９】
［変形例］
以下に、本発明に係る照明器具、照明装置および発光モジュールの変形例について説明する。
（白色光源切替制御）
上記実施の形態では、白色光源の切り替えを、赤色発光素子１２ｃの温度、および、赤色発光素子１２ｃに流す電流量に基づいて行ったが、白色光源の切り替えは、赤色発光素子１２ｃの温度のみに基づいて行っても良い。その場合は、第１の点灯状況は、赤色発光素子１２ｃが第１の温度で点灯する状況であり、第２の点灯状況は、赤色発光素子１２ｃが第１の温度よりも高い第２の温度で点灯する状況である。その場合は、図１０に示す白色光源切替制御において、ステップＳ５およびステップＳ１０が省略される。具体的には、ステップＳ４において、赤色発光素子１２ｃの温度が閾値以上である場合（ステップＳ４で「ＹＥＳ」）はステップＳ６に進み、赤色発光素子１２ｃの温度が閾値以上でない場合（ステップＳ４で「ＮＯ」）はステップＳ３に戻る。また、ステップＳ９において、赤色発光素子１２ｃの温度が閾値以上でない場合は（ステップＳ９で「ＮＯ」）、ステップＳ１１に進み、赤色発光素子１２ｃの温度が閾値以上である場合は（ステップＳ９で「ＹＥＳ」）、ステップＳ８に戻る。
【００７０】
また、白色光源の切り替えは、赤色発光素子１２ｃの電流量のみに基づいて行っても良い。その場合は、第１の点灯状況は、赤色発光素子１２ｃが第１の電流量で点灯する状況であり、第２の点灯状況は、赤色発光素子１２ｃが第１の電流量よりも大きい第２の電流量で点灯する状況である。その場合は、図１０に示す白色光源切替制御において、ステップＳ４およびステップＳ９が省略される。具体的には、ステップＳ３で「ＮＯ」の場合はステップＳ５に進み、ステップＳ８で「ＮＯ」の場合はステップＳ１０に進む。
【００７１】
また、上記実施の形態では、第１の白色光源Ｗ１および第２の白色光源Ｗ２の両方を積極的に同時点灯させることはなかったが、第１の点灯状況から第２の点灯状況に移行する期間においては、第１の白色光源Ｗ１と第２の白色光源Ｗ２の両方を同時点灯させる３つ目の状態を設定しても構わない。これにより、点灯状態の急激な変化を緩和し、白色光源の切り替えに伴う違和感を少なくすることができる。３つ目の状態では、第１の白色光源Ｗ１および第２の白色光源Ｗ２の輝度の総量が、第１の点灯状況における第１の白色光源Ｗ１の輝度、或いは、第２の点灯状況における第２の白色光源Ｗ２の輝度と同じになるように、調光制御されていることが好ましい。
【００７２】
また、上記実施の形態では、第１の点灯状況で赤色発光素子１２ｃが点灯している場合は、第２の発光素子１２ｂを点灯させなかったが、第２の発光素子１２ｂは実質的にモノの見え方（例えば目立ち指数ＦＣＩ）に影響を与えない程度に微点灯させても良い。さらに、上記実施の形態では、第２の点灯状況で赤色発光素子１２ｃが点灯している場合は、第１の発光素子１２ａを点灯させなかったが、第１の発光素子１２ａは実質的にモノの見え方（例えば目立ち指数ＦＣＩ）に影響を与えない程度に微点灯させても良い。
【００７３】
最後に、白色光源の切り替えは、第３の発光素子のピーク波長が長波長側にシフトする要因であれば、その要因が温度および電流量以外の要因であったとしても、その要因に基づいて行っても良い。
（発光モジュール）
本発明に係る発光モジュールは、上記実施形態に係る発光モジュール１０に限定されない。
【００７４】
例えば、上記実施の形態に係る発光モジュール１０では、各色光源が２つずつ存在したが、各光源の数は任意である。例えば、各色光源が１つずつであっても良いし、３つ以上ずつであっても良い。また、各色光源は同じ数である必要はなく、例えば第１の白色光源および第２の白色光源を赤色光源の２倍にするなど、各色光源の数はそれぞれ任意である。少なくとも各色１つずつ存在すれば良い。
【００７５】
また、各光源を構成する発光素子の数は１８個であったが、各光源を構成する発光素子の数は任意である。例えば、１つの発光素子と１つの封止部材とによって１つの光源が構成されていても良いし、１８個以外の複数の発光素子と１つの封止部材とで１つの光源が構成されていても良い。また、各光源の発光素子の数が同じである必要もない。
また、発光モジュールには、第１の白色、第２の白色、および、赤色以外の色の光源が含まれていても良い。
【００７６】
また、上記実施の形態に係る発光モジュール１０では、封止部材１３の形状が長尺直線状であったが、本発明に係る光源Ｗ１，Ｗ２，Ｒの形状は任意である。すなわち、直線状に限定されず、同じ線状であっても直線状ではなく曲線状であっても良い。また、線状ではなくブロック状であっても良い。さらに、直線状、曲線状、ブロック状等が組み合わされた形状であっても良い。加えて、光源Ｗ１，Ｗ２，Ｒの配置も任意である。
【００７７】
以下に、光源Ｗ１，Ｗ２，Ｒの形状や配置のバリエーションについて説明する。なお、既に説明した部材と同じ部材が使用されている場合は、その部材と同じ符号を付して説明を簡略若しくは省略している。また、各光源Ｗ１，Ｗ２，Ｒの配置を理解し易いように、各光源Ｗ１，Ｗ２，Ｒには、同色のものには同じ模様を付し、異なるものには異なる模様を付している。
【００７８】
図１１は、変形例１に係る発光モジュールを示す図であって、（ａ）は平面図、（ｂ）は右側面図、（ｃ）は正面図である。例えば、図１１に示す変形例１に係る発光モジュール１１０では、各光源Ｗ１，Ｗ２，Ｒの形状が、ブロック状の一種である直方体であり、それらがマトリックス状に並べて配置されている。各光源Ｗ１，Ｗ２，Ｒは、直線状に１列に並べて配置された複数の発光素子１１２ａ〜１１２ｃと、それら発光素子１１２ａ〜１１２ｃを封止する１つの封止部材１１３ａ〜１１３ｃとで構成されている。そして、光源Ｗ１，Ｗ２，Ｒは、同じ色が隣り合わないように千鳥配置されている。このように、個々の光源Ｗ１，Ｗ２，Ｒの大きさを小さくすると共に光源Ｗ１，Ｗ２，Ｒの数を増やせば、各色光源Ｗ１，Ｗ２，Ｒが発する光が均一に混ざり易いため、色むらが生じ難い。
【００７９】
図１２は、変形例２に係る発光モジュールを示す図であって、（ａ）は平面図、（ｂ）は右側面図、（ｃ）は正面図である。図１２に示す変形例２に係る発光モジュール２１０では、各光源Ｗ１，Ｗ２，Ｒが環状の一種である方形環状であって、それらが環軸が一致するように交互に配置されている。各光源Ｗ１，Ｗ２，Ｒは、環状に配置された複数の発光素子２１２ａ〜２１２ｃと、それら発光素子２１２ａ〜２１２ｃを封止する１つの方形環状の封止部材２１３ａ〜２１３ｃとで構成されている。このように、光源Ｗ１，Ｗ２，Ｒを環状にすることで、環軸を中心として３６０度全方向に対して色むらのない照明光を発することができる。
【００８０】
図１３は、変形例３に係る発光モジュールを示す図であって、（ａ）は平面図、（ｂ）は右側面図、（ｃ）は正面図である。図１３に示す変形例３に係る発光モジュール３１０では、円形板状の基板３１１の上面３１１ａに、ＳＭＤ（Ｓｕｒｆａｃｅ  Ｍｏｕｎｔ  Ｄｅｖｉｃｅ）型の光源Ｗ１，Ｗ２，Ｒが配置されている。各光源Ｗ１，Ｗ２，Ｒは、基板３１１の上方から見た平面視において略正方形のドット状であって、１つの発光素子３１２ａ〜３１２ｃと、１つの封止部材３１３ａ〜３１３ｃとで構成されている。それら光源Ｗ１，Ｗ２，Ｒは、同じ色が隣り合わないように千鳥配置されているため、各色光源Ｗ１，Ｗ２，Ｒが発する光が均一に混ざり易く、色むらが生じ難い。
【００８１】
（照明装置）
本発明に係る照明装置は、上記実施形態に係る照明装置６に限定されない。
例えば、上記実施の形態は、本発明に係る照明装置をダウンライト用のランプユニットに応用する形態であったが、照明装置の形態は上記実施の形態に限定されない。例えば、以下に説明するような直管形蛍光灯などの代替として期待される直管形ＬＥＤランプや、ＬＥＤ電球に応用しても良い。直管形ＬＥＤランプとは、電極コイルを用いた従来の一般直管蛍光灯と略同形のＬＥＤランプをいう。ＬＥＤ電球とは、従来の白熱電球と略同形のＬＥＤランプをいう。
【００８２】
図１４は、変形例４に係る照明装置を示す図である。図１４に示すように、照明装置４００は、長尺筒状の筐体４０１と、筐体４０１内に配置された基台４０２と、基台４０２に搭載された複数の光源Ｗ１，Ｗ２，Ｒと、筐体４０１の両端部に取り付けられた一対の口金４０３，４０４とを備える。
筐体４０１は、両端部に開口を有する長尺筒状であって、光源Ｗ１，Ｗ２，Ｒおよび基台４０２が収容されている。筐体４０１の材質は特に限定されるものではないが、透光性材料であることが好ましく、透光性材料としては、例えばプラスチックのような樹脂やガラス等が挙げられる。なお、筐体４０１の横断面形状は特に限定されず、円環状であっても良いし、多角形の環状であっても良い。
【００８３】
基台４０２は、両端が一対の口金４０３，４０４の近傍にまで延びた長尺板状であって、その長手方向の長さは、筐体４０１の長手方向の長さと略同等である。基台４０２は、光源Ｗ１，Ｗ２，Ｒの熱を放熱するためのヒートシンクとして機能することが好ましく、そのためには金属等の高熱伝導性材料によって形成されていることが好ましい。
光源Ｗ１，Ｗ２，Ｒは、各色１つずつ存在し、それぞれが基台４０２の長手方向に沿った長尺状であり、間隔を空けながら並行に並べて配置されている。各光源Ｗ１，Ｗ２，Ｒは、基台４０２の長手方向に沿って直線状に１列に配置された複数の発光素子４１２ａ〜４１２ｃと、それら発光素子４１２ａ〜４１２ｃを封止する長尺状の封止部材４１３ａ〜４１３ｃとで構成される。光源Ｗ１，Ｗ２，Ｒは、上記実施の形態に係る光源Ｗ１，Ｗ２，Ｒと同様の機能を有する。照明装置４００は、上記実施の形態と同様の白色光源切替制御を光源Ｗ１，Ｗ２，Ｒに対して行うことで、点灯状況に左右されず安定した目立ち指数ＦＣＩの照明光を発することができる。
【００８４】
一対の口金４０３，４０４は、照明器具（不図示）のソケットに取り付けられる。照明装置４００を照明器具に取り付けた状態において、一対の口金４０３，４０４を介して光源Ｗ１，Ｗ２，Ｒへの給電が行われる。また、光源Ｗ１，Ｗ２，Ｒで生じた熱が、基台４０２および一対の口金４０３，４０４を介して照明器具に伝わる。
図１５は、変形例５に係る照明装置を示す図である。図１５に示すように、照明装置５００は、変形例４と同様の筐体４０１、基台４０２および一対の口金４０３，４０４とを備え、基台４０２には、複数の光源Ｗ１，Ｗ２，Ｒが搭載されている。
【００８５】
本変形例に係る光源Ｗ１，Ｗ２，Ｒは、ＳＭＤ型であって、１つの発光素子５１２ａ〜５１２ｃと、１つの封止部材５１３ａ〜５１３ｃとで構成される。それら光源Ｗ１，Ｗ２，Ｒは、基台４０２の長手方向に沿って直線状に１列に間隔を空けて配置されており、同じ色の光源Ｗ１，Ｗ２，Ｒが隣り合わないように、且つ、第１の白色光源Ｗ１と第２の白色光源Ｗ２の間に赤色光源Ｒが位置するように配置されている。光源Ｗ１，Ｗ２，Ｒは、上記実施の形態に係る光源Ｗ１，Ｗ２，Ｒと同様の機能を有する。照明装置５００は、上記実施の形態と同様の白色光源切替制御を光源Ｗ１，Ｗ２，Ｒに対して行うことで、点灯状況に左右されず安定した目立ち指数ＦＣＩの照明光を発することができる。
【００８６】
図１６は、変形例６に係る照明装置を示す断面図である。図１６に示すように、変形例６に係る照明装置６００は、発光モジュール１０、ホルダ６２０、回路ユニット６３０、回路ケース６４０、口金６５０、グローブ６６０、および、筐体６７０を主な構成とするＬＥＤ電球である。
発光モジュール１０は、上記実施の形態に係る発光モジュール１０と同じものであって、図８に示すように、基板１１、複数の発光素子１２ａ〜１２ｃ、および、複数の封止部材１３ａ〜１３ｃを備える。発光素子１２ａおよび封止部材１３ａで第１の白色光源Ｗ１が構成されており、発光素子１２ｂおよび封止部材１３ｂで第２の白色光源Ｗ２が構成されており、発光素子１２ｃおよび封止部材１３ｃで光源Ｒが構成されている。
【００８７】
ホルダ６２０は、モジュール保持部６２１と回路保持部６２２とを備える。モジュール保持部６２１は、発光モジュール１０を筐体６７０に取り付けるための略円板状の部材であって、アルミニウムなどの良熱伝導性材料からなり、その材料特性により、発光モジュール１０からの熱を筐体６７０へ熱を伝導する熱伝導部材としても機能する。回路保持部６２２は、例えば合成樹脂で形成された略円形皿状であって、ねじ６２３によってモジュール保持部６２１に固定されている。回路保持部６２２の外周には回路ケース６４０に係合させるための係合爪６２４が設けられている。
【００８８】
回路ユニット６３０は、回路基板６３１と当該回路基板６３１に実装された複数個の電子部品６３２とからなり、前記回路基板６３１が回路保持部６２２に固定された状態で筐体６７０内に収納されており、発光モジュール１０と電気的に接続されている。回路ユニット６３０は、上記実施の形態に係る回路ユニット４に相当し、点灯回路部４ｃ、調光比検出回路部４ｄ、電流量検出部４ｅ、および制御回路部４ｆを有する点灯回路をユニット化したものである。照明装置６００は、回路ユニット６３０によって上記実施の形態と同様の白色光源切替制御を光源Ｗ１，Ｗ２，Ｒに対して行うことで、点灯状況に左右されず安定した目立ち指数ＦＣＩの照明光を発することができる。
【００８９】
回路ケース６４０は、回路ユニット６３０を内包した状態で回路保持部６２２に取り付けられている。回路ケース６４０には、回路保持部６２２の係合爪６２４と係合する係合孔６４１が設けられており、前記係合爪６２４を前記係合孔６４１に係合させることにより、回路保持部６２２に回路ケース６４０が取り付けられている。
口金６５０は、ＪＩＳ（日本工業規格）で規定された口金、例えばＥ型口金の規格に適合する口金であり、一般白熱電球用のソケット（不図示）に装着するために使用される。口金６５０は、筒状胴部とも称されるシェル６５１と円形皿状をしたアイレット６５２とを有し、回路ケース６４０に取り付けられている。シェル６５１とアイレット６５２とは、ガラス材料からなる絶縁体部６５３を介して一体となっている。シェル６５１は、回路ユニット６３０の一方の給電線６３３と電気的に接続されており、アイレット６５２は、回路ユニット６３０の他方の給電線６３４と電気的に接続されている。
【００９０】
グローブ６６０は、略ドーム状であって、発光モジュール１０を覆うようにして、その開口端部６６１が接着剤６６２により筐体６７０およびモジュール保持部６２１に固定されている。
筐体６７０は、例えば円筒状であって、一方の開口側に発光モジュール１０が配置され、他方の開口側に口金６５０が配置されている。当該筐体６７０は、発光モジュール１０からの熱を放散させる放熱部材（ヒートシンク）として機能させるために、熱伝導性の良い材料、例えばアルミニウムを基材として形成されている。
【００９１】
（照明器具）
本発明に係る照明器具は、上記実施形態に係る照明器具１に限定されない。
例えば、上記実施の形態では、発光モジュールが照明装置の一部として照明器具に組み込まれていたが、発光モジュールは、照明装置の一部としてではなく、それ単体として照明装置を介さずに、照明器具に直接組み込まれていても良い。
【００９２】
（点灯回路）
上記実施の形態では、点灯回路部４ｃ、調光比検出回路部４ｄ、電流量検出部４ｅ、および制御回路部４ｆを含む点灯回路の全てが、回路ユニット４として照明装置６の外部に設けられていたが、点灯回路は、その全てまたは一部が照明装置の一部として照明装置に内蔵されていても良い。すなわち、点灯回路部、調光比検出回路部、電流量検出部、および制御回路部の全てが照明装置に内蔵されていても良いし、それら４つの部のうちの１つ〜３つ部だけが照明装置に内臓されていても良い。また、点灯回路は、その全てまたは一部が発光モジュールの一部であっても良く、例えば発光モジュールの基板上に作り込まれていても良い。すなわち、点灯回路部、調光比検出回路部、電流量検出部、および制御回路部の全てが発光モジュールの一部であっても良いし、それら４つの部のうちの１つ〜３つの部だけが発光モジュールの一部であっても良い。
【００９３】
（その他）
以上、本発明の構成を、上記実施の形態および変形例に基づいて説明したが、本発明は上記実施の形態およびその変形例に限られない。例えば、上記実施形態およびその変形例の部分的な構成を、適宜組み合わせてなる構成であっても良い。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。本発明は、照明用途全般に広く利用可能である。
【符号の説明】
【００９４】
１  照明器具
６，４００，５００，６００  照明装置
４，６３０  点灯回路（回路ユニット）
１０，１１０，２１０，３１０  発光モジュール
１２ａ，１１２ａ，２１２ａ，３１２ａ，４１２ａ，５１２ａ  第１の発光素子
１２ｂ，１１２ｂ，２１２ｂ，３１２ｂ，４１２ｂ，５１２ｂ  第２の発光素子
１２ｃ，１１２ｃ，２１２ｃ，３１２ｃ，４１２ｃ，５１２ｃ  赤色発光素子（第３の発光素子）
１３ａ，１１３ａ，２１３ａ，３１３ａ，４１３ａ，５１３ａ  第１の波長変換部材（第１の封止部材）
１３ｂ，１１３ｂ，２１３ｂ，３１３ｂ，４１３ｂ，５１３ｂ  第２の波長変換部材（第２の封止部材）
Ｗ１  第１の白色光源
Ｗ２  第２の白色光源
Ｒ  赤色光源
【図１】
2014081999.tif 000003
【図２】
2014081999.tif 000004
【図３】
2014081999.tif 000005
【図４】
2014081999.tif 000006
【図５】
2014081999.tif 000007
【図６】
2014081999.tif 000008
【図７】
2014081999.tif 000009
【図８】
2014081999.tif 000010
【図９】
2014081999.tif 000011
【図１０】
2014081999.tif 000012
【図１１】
2014081999.tif 000013
【図１２】
2014081999.tif 000014
【図１３】
2014081999.tif 000015
【図１４】
2014081999.tif 000016
【図１５】
2014081999.tif 000017
【図１６】
2014081999.tif 000018